(57)【要約】【課題】テープロールから繰り出された粘着テープが乱暴に引っ張られるなどして弛んだ場合であっても、粘着テープの側縁を綺麗に折り返すことのできる粘着テープ繰り出し装置を部材の少ない簡単な構造で安価に提供する。【解決手段】粘着テープ繰り出し装置を、テープロールＲを支持するためのテープロール支持手段１０と、テープロールＲから繰り出された粘着テープＴの少なくとも一方の側縁を長手方向に沿って折り返すためのテープ折り返し手段２０とを備えたものとし、テープ折り返し手段２０を、粘着テープＴの両方の側縁にそれぞれ外側から接触して粘着テープＴの幅を狭く規制するための一対の対向壁と、該一対の対向壁の間を通過する粘着テープＴを幅方向に亘って非粘着面側に屈曲させるための角部とを有するものとし、前記一対の対向壁における少なくとも一方に、テープ幅方向外方へ拡径するテーパー面を形成した。【選択図】図２
2009292627.tif 000002
【特許請求の範囲】
【請求項１】
テープロールを支持するためのテープロール支持手段と、テープロールから繰り出された粘着テープの少なくとも一方の側縁を長手方向に沿って折り返すためのテープ折り返し手段とを備えた粘着テープ繰り出し装置であって、
テープ折り返し手段が、粘着テープの両方の側縁にそれぞれ外側から接触して粘着テープの幅を狭く規制するための一対の対向壁と、該一対の対向壁の間を通過する粘着テープを幅方向に亘って非粘着面側に屈曲させるための角部とを有し、
前記一対の対向壁における少なくとも一方に、テープ幅方向外方へ拡径するテーパー面が形成されていることを特徴とする粘着テープ繰り出し装置。
【請求項２】
前記テーパー面の母線と前記テーパー面の中心軸とがなす角度θ１が４５°〜８５°である請求項１記載の粘着テープ繰り出し装置。
【請求項３】
前記角部の角度θ２が３０°〜１５０°である請求項１記載の粘着テープ繰り出し装置。
【請求項４】
テープロール支持手段が、テープロールの外周部を前方から支持するための第一テープロール支持体と、テープロールの外周部を下方から支持するための第二テープロール支持体とで構成された請求項１記載の粘着テープ繰り出し装置。
【請求項５】
テープロール支持手段が、テープロールの外周部を上方から支持するための第三テープロール支持体をさらに備えた請求項４記載の粘着テープ繰り出し装置。
【発明の詳細な説明】
【技術分野】
【０００１】
本発明は、テープロールから粘着テープを繰り出すための粘着テープ繰り出し装置に関する。
【背景技術】
【０００２】
コンビニエンスストアやスーパーマーケットなどに足を運ぶと、下皿と上蓋からなる樹脂製の包装容器で包装された様々な食品を目にすることができる。これらの包装容器は、その下皿と上蓋が粘着テープを用いて封をされていることが多く、開封者は、その粘着テープを剥がすのに苦労することがある。このような実状に鑑みてか、これまでには、テープロールから繰り出された粘着テープの側縁を粘着面側に折り返してから粘着テープを切断するようにした粘着テープ繰り出し装置が提案されている（例えば、特許文献１と特許文献２を参照）。粘着テープの折り返された側縁は、包装容器などの貼付対象物に貼り付かないために、粘着テープを剥がす際の手掛かり（剥がししろ）として利用することができる。
【０００３】
特許文献１や特許文献２の粘着テープ繰り出し装置のように、切断する粘着テープに剥がししろとなる非粘着部を形成することのできる粘着テープ繰り出し装置は、近年、その需要を着実に伸ばしつつあるが、粘着テープが乱暴に引っ張られるなどして弛むと、粘着テープの側縁が綺麗に折り返されなくなるという欠点を有していた。また、粘着テープの側縁を折り返すための機構が複雑で部品点数が多いために、粘着テープ繰り出し装置の製造コストを削減しにくいだけでなく、故障しやすいという欠点も有していた。
【０００４】
本出願人は、この課題を解決するために、テープロールから繰り出された粘着テープの側縁に接触して該側縁を粘着テープの粘着面側に起立させる板状の起立手段と、起立した側縁を粘着面側に倒伏させる柱状の倒伏手段とを備えた粘着テープ切断装置（特許文献３を参照）を開発したが、この粘着テープ切断装置においてもなお、粘着テープの側縁が綺麗に折り返されなくなることがあった。
【０００５】
【特許文献１】特許第３５４９５１２号公報（特許請求の範囲、図１）
【特許文献２】特開２００３−２０６０６７号公報（特許請求の範囲、図４）
【特許文献３】特開２００７−３０２４３７号公報（特許請求の範囲、図６）
【発明の開示】
【発明が解決しようとする課題】
【０００６】
本発明は、上記課題を解決するためになされたものであり、テープロールから繰り出された粘着テープが乱暴に引っ張られるなどして弛んだ場合であっても、粘着テープの側縁を綺麗に折り返すことのできる粘着テープ繰り出し装置を部材の少ない簡単な構造で安価に提供するものである。
【課題を解決するための手段】
【０００７】
上記課題は、テープロールを支持するためのテープロール支持手段と、テープロールから繰り出された粘着テープの少なくとも一方の側縁を長手方向に沿って折り返すためのテープ折り返し手段とを備えた粘着テープ繰り出し装置であって、テープ折り返し手段が、粘着テープの両方の側縁にそれぞれ外側から接触して粘着テープの幅を狭く規制するための一対の対向壁と、該一対の対向壁の間を通過する粘着テープを幅方向に亘って非粘着面側に屈曲させるための角部とを有し、前記一対の対向壁における少なくとも一方に、テープ幅方向外方へ拡径するテーパー面が形成されていることを特徴とする粘着テープ繰り出し装置を提供することによって解決される。
【０００８】
このように、対向壁における粘着テープに接触しうる部分をテーパー面で形成しておくことによって、粘着テープの側縁が滑らかに折り返されるようにすることが可能になる。この粘着テープ繰り出し装置は、簡素な構造で実現することもできるため、その製造コストを抑えることも可能である。
【０００９】
本発明の粘着テープ繰り出し装置において、前記テーパー面の母線と前記テーパー面の中心軸とがなす角度θ１（図５を参照）は特に限定されないが、通常、４５°〜８５°とされる。また、前記角部の角度θ２も特に限定されないが、通常、３０°〜１５０°とされる。これにより、粘着テープの側縁をより綺麗に折り返すことが可能になる。
【００１０】
さらに、テープロール支持手段の形態も特に限定されないが、テープロール支持手段が、テープロールの外周部を前方から支持するための第一テープロール支持体と、テープロールの外周部を下方から支持するための第二テープロール支持体とで構成されたものであると好ましい。このとき、テープロール支持手段が、テープロールの外周部を上方から支持するための第三テープロール支持体をさらに備えているとより好ましい。
【００１１】
この形態のテープロール支持手段は、粘着テープが乱暴に引っ張られた場合などであっても、テープロールから繰り出される粘着テープのテンションを一定に保つことが可能で、粘着テープの側縁を綺麗に折り返すことのできるものとなっており、上述したテープ折り返し手段と組み合わせて使用するのに適したものとなっている。
【発明の効果】
【００１２】
以上のように、本発明によって、テープロールから繰り出された粘着テープが乱暴に引っ張られるなどして弛んだ場合であっても、粘着テープの側縁を綺麗に折り返すことのできる粘着テープ繰り出し装置を部材の少ない簡単な構造で安価に提供することが可能になる。
【発明を実施するための最良の形態】
【００１３】
本発明の粘着テープ繰り出し装置の好適な実施態様について、図面を用いてより具体的に説明する。図１は、本発明の粘着テープ繰り出し装置を右後方から見た斜視図である。図２は、図１の粘着テープ繰り出し装置を分解して右後方から見た斜視図である。図３は、図１の粘着テープ繰り出し装置から一方の側板４１を取り外した状態を示した側面図である。図４は、図１の粘着テープ繰り出し装置におけるテープ折り返し手段２０を分解して右後方から見た斜視図である。図５は、図１の粘着テープ繰り出し装置におけるテープ折り返し手段２０を後方から見た背面図である。図６は、図５のテープ折り返し手段をＸ−Ｘ面で切断した状態を示した断面図である。図７は、図３の粘着テープ繰り出し装置におけるテープ折り返し手段２０の周辺を拡大した状態を示した側面図である。図８は、図１の粘着テープ繰り出し装置からテープロールＲ、粘着テープＴ、第一テープロール支持体１１、第二テープロール支持体１２、テープ折り返し手段２０、及びテープ切断手段３０を抜き出して上側から見た状態を示した図である。図９は、図１の粘着テープ繰り出し装置からテープロールＲ、粘着テープＴ、第一テープロール支持体１１、第二テープロール支持体１２、テープ折り返し手段２０、及びテープ切断手段３０を抜き出して下側から見た状態を示した図である。図１０は、図３のテープ繰り出し装置におけるテープ折り返し手段２０を時計回りに僅かに回転させて固定した状態を示した側面図である。
【００１４】
１．粘着テープ繰り出し装置の概要
本実施態様の粘着テープ繰り出し装置は、図１〜図３に示すように、テープロールＲを支持するためのテープロール支持手段１０と、テープロールＲから繰り出された粘着テープＴの一方の側縁を長手方向に沿って折り返すためのテープ折り返し手段２０と、側縁の折り返された粘着テープＴを幅方向に亘って切断するためのテープ切断手段３０とを備えたものとなっている。テープロール支持手段１０、テープ折り返し手段２０及びテープ切断手段３０は、一対の側板４０，４１の間に挟みこまれた状態で収容されている。一対の側板４０，４１の間には、おもり４２も収容されており、粘着テープＴが乱暴に引っ張られた場合であっても、粘着テープ繰り出し装置の全体が浮き上がったりすることがなく、粘着テープＴを安定して繰り出すことができるようになっている。
【００１５】
２．テープロール支持手段
テープロール支持手段１０は、テープロールＲを所定の箇所に支持できるものであれば特に限定されない。本実施態様の粘着テープ繰り出し装置において、テープロール支持手段１０は、図１〜図３に示すように、テープロールＲの外周部を前方から支持するための第一テープロール支持体１１と、テープロールＲの外周部を下方から支持するための第二テープロール支持体１２と、テープロールＲの外周部を上方から支持するための第三テープロール支持体１３とで構成されている。テープロールＲは、前方に繰り出された粘着テープＴの粘着面が下方を向くようにセットされる。テープロールＲに巻装されている粘着テープＴは、第一テープロール支持体１１の下方から前方へと繰り出されるようになっている。
【００１６】
第一テープロール支持体１１と第二テープロール支持体１２の形態は、テープロールＲの所定箇所を支持できるのであれば特に限定されない。本実施態様の粘着テープ繰り出し装置において、第一テープロール支持体１１と第二テープロール支持体１２は、図１〜図３に示すように、円柱状の胴部と、該胴部の両端に設けられた一対のフランジとからなるボビン状のものを採用している。第一テープロール支持体１１及び第二テープロール支持体１２のそれぞれにおける一対のフランジは、その間隔がテープロールＲの幅に略一致しており、テープロールＲを両側から挟み込むことができるようになっている。このため、テープロールＲを幅方向に高い精度で位置決めして、粘着テープＴの側縁における折り返される部分の幅の精度を高くすることが可能となっている。
【００１７】
第一テープロール支持体１１と第二テープロール支持体１２は、その中心軸周りに回転可能なローラであってもよいし、その中心軸周りに回転しないものであってもよい。第一テープロール支持体１１や第二テープロール支持体１２をローラとした場合には、テープロールＲが第一テープロール支持体１１や第二テープロール支持体１２から受ける摩擦力を軽減して、テープロールＲから粘着テープＴをより円滑に繰り出すことができるようになる。本実施態様の粘着テープ繰り出し装置においては、第二テープロール支持体１２のみがローラとなっている。
【００１８】
第三テープロール支持体１３の形態も、テープロールＲの所定の箇所を支持できるのであれば特に限定されない。本実施態様の粘着テープ繰り出し装置において、第三テープロール支持体１３は、図３に示すように、点Ｃ１を中心に矢印ａの方向に回動可能に軸支されたアーム状のものとなっている。この第三テープロール支持体１３は、その重量でテープロールＲを下向きに押さえるものとなっており、テープロールＲから粘着テープＴが乱暴に引き出されたような場合であっても、テープロールＲが暴れないようにして粘着テープＴにかかるテンションを一定に保たせることが可能なものとなっている。この第三テープロール支持体１３を設けることで、粘着テープＴの側縁をより綺麗に折り返すことができるようになる。
【００１９】
第一テープロール支持体１１は、その配置を特に限定されないが、通常、∠Ｐ０Ｃ０Ｐ１（図３を参照）が水平位置を基準として−９０°以上、＋４５°以下となる位置に配される。テープロールＲのセットのしやすさや安定性を考慮すると、∠Ｐ０Ｃ０Ｐ１は、−４５°以上、０°以下であると好ましい。本実施態様の粘着テープ繰り出し装置において、∠Ｐ０Ｃ０Ｐ１は約−１３°となっている。ここでは、テープロールＲの中心点をＣ０、テープロールＲの外周部における前方基準点（点Ｃ０からテープロールＲの前方に水平に延ばした直線とテープロールＲの外周との交点）をＰ０、第一テープロール支持体１１とテープロールＲとの接触点をＰ１とした。また、∠Ｐ０Ｃ０Ｐ１は、点Ｐ１が図３における直線Ｃ０Ｐ０よりも鉛直上側にある場合を正、直線Ｃ０Ｐ０よりも鉛直下側にある場合を負とし、−１８０°〜＋１８０°の範囲で定義した。
【００２０】
第二テープロール支持体１２も、その配置を特に限定されないが、通常、∠Ｐ０Ｃ０Ｐ２（図３を参照）が水平位置を基準として−１８０°以上、−９０°以下となる位置に配される。テープロールＲのセットのしやすさ安定性を考慮すると、∠Ｐ０Ｃ０Ｐ２は、−１５０°以上、−１００°以下であると好ましい。本実施態様の粘着テープ繰り出し装置において、∠Ｐ０Ｃ０Ｐ２は約−１０８°となっている。ここでは、第二テープロール支持体１２とテープロールＲとの接触点をＰ２とした。∠Ｐ０Ｃ０Ｐ２の定義は、上述の∠Ｐ０Ｃ０Ｐ１の場合と同様である。
【００２１】
第三テープロール支持体１３は、その配置を特に限定されないが、通常、∠Ｐ０Ｃ０Ｐ３（図３を参照）が水平位置を基準として０°以上、＋１３５°以下となる位置に配される。テープロールＲのセットのしやすさや安定性を考慮すると、∠Ｐ０Ｃ０Ｐ３は、＋４５°以上、＋１００°以下であると好ましい。本実施態様の粘着テープ繰り出し装置において、∠Ｐ０Ｃ０Ｐ３は約＋７５°となっている。ここでは、第三テープロール支持体１３とテープロールＲとの接触点をＰ３とした。∠Ｐ０Ｃ０Ｐ３の定義は、上述の∠Ｐ０Ｃ０Ｐ１の場合と同様である。
【００２２】
３．テープ折り返し手段
本実施態様の粘着テープ繰り出し装置において、テープ折り返し手段２０は、図４〜図９に示すように、一対の対向壁２１，２２と、一対の対向壁２１，２２を連結する柱状の連結部２３とで構成されている。一対の対向壁２１，２２は、粘着テープＴの両方の側縁にそれぞれ外側から接触して粘着テープＴの幅を狭く規制する（図８と図９を参照）ものとなっている。このうち、粘着テープＴの側縁を折り返す側の対向壁２１の内面は、テープ幅方向外方へ拡径するテーパー面αとなっており、粘着テープＴを円滑に案内することができるようになっている。粘着テープＴの両方の側縁を折り返したい場合には、一対の対向壁２１，２２の両方にテーパー面αを形成するとよい。
【００２３】
テーパー面αは、対向壁２１の内面における粘着テープＴと接触する可能性のある部分（例えば、対向壁２１の下側半分）のみに設けてもよいが、本実施態様の粘着テープ繰り出し装置において、テーパー面αは、旋盤で加工することによって形成したことに伴って、対向壁２１の内面における連結部２３と接続する箇所を除く略全ての部分がテーパー面αとなっている。テーパー面αの中心軸は、円盤状の対向壁２１の中心軸と略一致している。
【００２４】
テーパー面αの母線とテーパー面αの中心軸Ｌとがなす角度θ１（図５を参照）の大きさは、特に限定されない。しかし、角度θ１が小さすぎると、対向壁２１によって粘着テープＴの側縁が折り返されにくくなる。このため、角度θ１は、通常、４５°以上とされる。角度θ１は、６０°以上であるとより好ましい。
【００２５】
一方、テーパー面αの母線とテーパー面αの中心軸Ｌとがなす角度θ１（図５を参照）が大きすぎると、テープ折り返し手段２０で粘着テープＴの側縁が綺麗に折り返されにくくなるおそれがある。このため、角度θ１は、通常、８５°以下とされる。角度θ１は、８０°以下であると好ましい。本実施態様の粘着テープ繰り出し装置において、角度θ１は約７２°となっている。角度θ１をこの程度に設定しておくと、テープロールＲをテープロール支持手段１０にセットして粘着テープＴをテープ折り返し手段２０に掛け回した直後から、粘着テープＴの側縁が綺麗に折り返されるようになる。
【００２６】
柱状の連結部２３は、図６に示すように、その断面が略扇形となっており、一対の対向壁２１，２２の間を通過する粘着テープＴを幅方向に亘って非粘着面側に屈曲させるための角部が設けられている。本実施態様の粘着テープ繰り出し装置において、この角部は、図４における線分Ｑ２Ｑ５を稜線とする角（図６におけるθ２で角度が表される角）と、図４における線分Ｑ１Ｑ４を稜線とする角（図６におけるθ３で角度が表される角）との２箇所に設けられている。このため、対向壁２１によって起立された粘着テープＴの側縁を倒伏させて粘着面にぴったりと密着させることができるようになっている。
【００２７】
角度θ２や角度θ３の大きさは特に限定されないが、小さすぎると、粘着テープＴの厚みによっては、前記角部によって粘着テープＴが傷ついて破れるおそれがある。このため、角度θ２や角度θ３は、通常、３０°以上とされる。角度θ２や角度θ３は、４５°以上であると好ましく、６０°以上であるとより好ましい。
【００２８】
一方、角度θ２や角度θ３が大きすぎると、粘着テープＴをその非粘着面側に大きく反らせることができなくなり、粘着テープＴの起立した側縁を粘着面側に上手く倒伏させることができなくなるおそれがある。このため、角度θ２や角度θ３は、通常、１５０°以下とされる。角度θ２や角度θ３は、１４０°以下であると好ましく、１３５°以下であるとより好ましい。本実施態様の粘着テープ繰り出し装置において、角度θ２は約１１０°となっており、角度θ３は約９０°となっている。
【００２９】
ところで、粘着テープＴが厚い場合（厚さが６５μｍを超えるような場合）には、粘着テープＴとテープ折り返し手段２０の連結部２３とが前記角部の稜線のみで接触するようにし、粘着テープＴをその非粘着面側に急角度で屈曲させた方が、粘着テープＴの側縁を綺麗に折り返すことができるようになる場合がある。このような場合には、図１０に示すように、テープ折り返し手段２０を図３の状態から回転した位置で固定して、粘着テープＴとテープ折り返し手段２０の連結部２３とが前記角部の稜線のみで接触するようにすると好ましい。図１０の例では、テープ折り返し手段２０を図３の状態から時計回りに約２０°回転した状態で固定している。本実施態様の粘着テープ繰り出し装置におけるテープ折り返し手段２０は、その固定角度を変更することによって、粘着テープＴとテープ折り返し手段２０の連結部２３との接触状態を適宜調節することができるようになっており、様々な種類の粘着テープＴに対応できるようになっている。
【００３０】
ここで、角度θ２及び角度θ３は、それぞれの角部を形成する一対の面（図６において角度θ２で表される角部の場合は面Ｑ１Ｑ２Ｑ５Ｑ４と面Ｑ３Ｑ２Ｑ５Ｑ６、角度θ３で表される角部の場合は面Ｑ１Ｑ２Ｑ５Ｑ４と面Ｑ３Ｑ１Ｑ４Ｑ６）のうち、一方又は双方が曲面である場合には、該曲面に接する平面のうち、対象となる角部の稜線（図６において角度θ２で表される角部の場合は線分Ｑ２Ｑ５（図４を参照）、角度θ３で表される角部の場合は線分Ｑ１Ｑ４（図４を参照））を含む平面で前記曲面を置換して定義する。本実施態様の粘着テープ繰り出し装置において、面Ｑ１Ｑ２Ｑ５Ｑ４と面Ｑ３Ｑ１Ｑ４Ｑ６は平面となっており、角度θ３は面Ｑ１Ｑ２Ｑ５Ｑ４と面Ｑ３Ｑ１Ｑ４Ｑ６とが為す角度で定義しているが、面Ｑ３Ｑ２Ｑ５Ｑ６は円柱面となっているために、角度θ２は、曲面Ｑ３Ｑ２Ｑ５Ｑ６に接し、線分Ｑ２Ｑ５を含む平面β（図６を参照）と、面Ｑ１Ｑ２Ｑ５Ｑ４とが為す角度で定義している。
【００３１】
テープ折り返し手段２０の配置は、粘着テープＴを幅方向に亘って非粘着面側に屈曲させることができるのであれば特に限定されない。しかし、テープ折り返し手段２０での粘着テープＴの屈曲角度（図７における角度θ４と角度θ５）が小さすぎると、対向壁２１で起立された粘着テープＴの側縁Ｔ１が粘着面側に倒伏しにくくなるおそれがある。このため、テープ折り返し手段２０は、角度θ４と角度θ５のうち少なくともいずれか一方が１０°以上確保できる位置に配すると好ましい。テープ折り返し手段２０は、角度θ４と角度θ５のうち少なくともいずれか一方が１５°以上確保できる位置に配するとより好ましく、２０°以上確保できる位置に配するとさらに好ましい。
【００３２】
一方、テープ折り返し手段２０での粘着テープＴの屈曲角度（図７における角度θ４と角度θ５）が大きすぎると、粘着テープＴにシワが発生したり、傷が付いたりするおそれがある。また、必然的にテープ折り返し手段２０を粘着テープ繰り出し装置の底部付近に配さなければなくなるために、テープロール支持手段１０にテープロールＲをセットした後に粘着テープＴをテープ折り返し手段２０に掛け回す作業を行いにくくなるおそれもある。このため、テープ折り返し手段２０は、角度θ４と角度θ５のいずれもが９０°以下となる位置に配すると好ましい。テープ折り返し手段２０は、角度θ４と角度θ５のいずれもが７０°以下となる位置に配するとより好ましく、６０°以下となる位置に配するとさらに好ましい。本実施態様の粘着テープ繰り出し装置において、テープ折り返し手段２０は、第一テープロール支持体１１とテープ切断手段３０とを結ぶ線の中央付近やや下側に配しており、角度θ４は約３３°、角度θ５は約１３°となっている。
【００３３】
４．テープ切断手段
側縁が倒伏した粘着テープＴは、図１〜図３に示すように、テープ切断手段３０によってその幅方向に亘って切断される。テープ切断手段３０は、粘着テープＴをその幅方向に亘って切断することができる形態のものであればとくに限定されず、従来より用いられている各種のものを使用することができる。本実施態様の粘着テープ繰り出し装置においては、鋸歯状の刃を有するカッターをテープ切断手段３０として用いている。
【００３４】
５．粘着テープ繰り出し装置の用途
本発明の粘着テープ繰り出し装置は、その用途をとくに限定されず、様々な目的で使用することができる。なかでも、卓上用の粘着テープ繰り出し装置として好適に使用することができる。例えば、コンビニエンスストアやスーパーマーケットなどにおいて、サラダや惣菜などの食品を収容する樹脂製の包装容器に封をする際に使用する粘着テープを繰り出すものとして好適に使用することができる。また、ホームセンターやスーパーマーケットのレジスターにおいて購入済みの印として商品に貼られる粘着テープを繰り出すためのものとしても好適に使用することができる。
【図面の簡単な説明】
【００３５】
【図１】本発明の粘着テープ繰り出し装置を右後方から見た斜視図である。
【図２】図１の粘着テープ繰り出し装置を分解して右後方から見た斜視図である。
【図３】図１の粘着テープ繰り出し装置から一方の側板を取り外した状態を示した側面図である。
【図４】図１の粘着テープ繰り出し装置におけるテープ折り返し手段を分解して右後方から見た斜視図である。
【図５】図１の粘着テープ繰り出し装置におけるテープ折り返し手段を後方から見た背面図である。
【図６】図５のテープ折り返し手段をＸ−Ｘ面で切断した状態を示した断面図である。
【図７】図３の粘着テープ繰り出し装置におけるテープ折り返し手段の周辺を拡大した状態を示した側面図である。
【図８】図１の粘着テープ繰り出し装置からテープロール、粘着テープ、第一テープロール支持体、第二テープロール支持体、テープ折り返し手段、及びテープ切断手段を抜き出して上側から見た状態を示した図である。
【図９】図１の粘着テープ繰り出し装置からテープロール、粘着テープ、第一テープロール支持体、第二テープロール支持体、テープ折り返し手段、及びテープ切断手段を抜き出して下側から見た状態を示した図である。
【図１０】図３のテープ繰り出し装置におけるテープ折り返し手段を時計回りに僅かに回転させて固定した状態を示した側面図である。
【符号の説明】
【００３６】
１０    テープロール支持手段
１１    第一テープロール支持体
１２    第二テープロール支持体
１３    第三テープロール支持体
２０    テープ折り返し手段
２１    対向壁
２２    対向壁
２３    連結部
３０    テープ切断手段
４０    側板
４１    側板
４２    おもり
Ｃ０  テープロールの中心点
Ｃ１  第三テープロール支持体の回動の中心点
Ｐ０  テープロールの外周部における前方基準点
Ｐ１  第一テープロール支持体とテープロールとの接触点
Ｐ２  第二テープロール支持体とテープロールとの接触点
Ｐ３  第三テープロール支持体とテープロールとの接触点
Ｒ    テープロール
Ｔ    粘着テープ
α    テーパー面
β    曲面Ｑ３Ｑ２Ｑ５Ｑ６に接し、線分Ｑ２Ｑ５を含む平面
θ１  テーパー面αの母線とテーパー面αの中心軸Ｌとがなす角度
θ２  線分Ｑ２Ｑ５を稜線とする角の大きさ
θ３  線分Ｑ１Ｑ４を稜線とする角の大きさ
【図１】
2009292627.tif 000003
【図２】
2009292627.tif 000004
【図３】
2009292627.tif 000005
【図４】
2009292627.tif 000006
【図５】
2009292627.tif 000007
【図６】
2009292627.tif 000008
【図７】
2009292627.tif 000009
【図８】
2009292627.tif 000010
【図９】
2009292627.tif 000011
【図１０】
2009292627.tif 000012